(57)【要約】【課題】地中に押し込んだ杭に所要の回転操作を施すことにより、その直後から引き抜き抵抗力の増大を期し得る杭を提供する。【解決手段】地中に押し込まれる杭本体６の側面部１３で張り出す張出部２５の上部に、傾倒アンカー片１５の下端部１６を連結する。傾倒アンカー片１５は、起立状態から下方向に傾倒できる。杭本体６を地中に押し込んだ状態で該杭本体６をその軸線回りに回転させると、傾倒アンカー片１５は、土の抵抗によって、杭本体６の回転方向と逆方向に傾倒する。そして該傾倒アンカー片１５は、その傾倒に伴って土に切り入る。【選択図】図５
2015004190.tif 000002
【特許請求の範囲】
【請求項１】
地中に押し込まれる杭本体の側面部に傾倒アンカー片の下端部が連結され、該傾倒アンカー片が、該杭本体の軸線に略沿った起立状態から下方向に傾倒される如くなされており、
該傾倒アンカー片は、前記杭本体を地中に押し込んだ状態で該杭本体をその軸線回りに回転させることにより、土の抵抗によって、該杭本体の回転方向と逆方向に傾倒でき、該傾倒アンカー片が該傾倒に伴って土に切り入ることを特徴とする杭。
【請求項２】
地中に押し込まれる杭本体の側面部で張り出す張出部の上部に、傾倒アンカー片の下端部が連結され、該傾倒アンカー片が、該杭本体の軸線に略沿った起立状態から下方向に傾倒される如くなされており、
該傾倒アンカー片は、前記杭本体を地中に押し込んだ状態で該杭本体をその軸線回りに回転させることにより、土の抵抗によって、該杭本体の回転方向と逆方向に傾倒でき、該傾倒アンカー片が該傾倒に伴って土に切り入ることを特徴とする杭。
【請求項３】
前記張出部が、前記杭本体の半径方向に張り出す板状を呈する如く構成されると共に、該張出部の張り出し方向で見た外側の側縁部が、その下端に向かうにつれて前記杭本体に接近する如く構成されていることを特徴とする請求項２記載の杭。
【請求項４】
前記張出部が、前記杭本体の半径方向に張り出す板状を呈する如く構成されると共に、該張出部の張り出し方向で見た外側の側縁部が、その下端に向かうにつれて前記杭本体に接近する如く内方に緩く湾曲した湾曲縁部として構成されていることを特徴とする請求項２記載の杭。
【請求項５】
前記傾倒アンカー片は、前記起立状態において、前記回転方向で見て前後の面が垂直状面を呈する板状に形成されていることを特徴とする請求項１又は２記載の杭。
【請求項６】
前記傾倒アンカー片は、前記起立状態において、前記回転方向で見て前後の面が垂直状面を呈する板状に形成されており、該傾倒アンカー片の、前記回転方向で見た先端縁部が、前記傾倒に伴って土に切り入る鋭角の刃状部として形成されていることを特徴とする請求項２記載の杭。
【請求項７】
起立状態にある前記傾倒アンカー片は、平面視で、時計回り及び反時計回りの双方に傾倒可能となされていることを特徴とする請求項１又は２記載の杭。
【請求項８】
前記傾倒アンカー片が９０度よりも小さい角度に傾倒した状態で互いに当接し得る上下のストッパ部が設けられており、該上のストッパ部は前記傾倒アンカー片の下端側に設けられると共に、該下のストッパ部は前記側面部に設けられていることを特徴とする請求項１又は２記載の杭。
【請求項９】
前記傾倒アンカー片の傾倒角度が、前記上下のストッパ部が互いに当接することによって２０〜６０度に規制された状態で、前記杭本体に引き抜き荷重が加えられたときに、前記傾倒アンカー片が該上下のストッパ部の当接部を支点として下方向に弾性的に撓み変形し得ることを特徴とする請求項８記載の杭。
【請求項１０】
前記傾倒アンカー片は前記杭本体の側面部に、上下方向で複数段に設けられており、最下段の傾倒アンカー片を除く他の傾倒アンカー片は、その全長が、該最下段の傾倒アンカー片の全長よりも長く形成されていることを特徴とする請求項１又は２記載の杭。
【請求項１１】
前記傾倒アンカー片は前記杭本体の側面部に、上下方向で複数段に設けられており、各段について見た場合、前記側面部の対向側の２個所に前記傾倒アンカー片が設けられており、該側面部の対向する夫々の側で、前記傾倒アンカー片が上下方向で見て並設状態とされていることを特徴とする請求項１又は２記載の杭。
【請求項１２】
前記杭本体の上端に、シート状物を押える押え板が設けられていることを特徴とする請求項１、２又は９記載の杭。
【請求項１３】
前記押え板の上面に、前記杭本体を回転させるための摘み部が設けられていることを特徴とする請求項１２記載の杭。
【発明の詳細な説明】
【技術分野】
【０００１】
本発明は杭に関するものであり、より詳しくは、傾倒アンカー片のアンカー作用によって引き抜き抵抗力の増大を期し得る杭に関するものである。
【背景技術】
【０００２】
防草シートや遮光シート、マルチ等の各種のシート状物を地面に押えて固定するために用いられる従来の押え杭の一例としては、特許文献１の図２に示すような、円板状等の形態を呈してシート状物を押える押え板の下面に、周面が平滑な支持杭を下方向に突設した構成を有するものが提案されている。該押え杭は、その支持杭を地中に押し込むことによって、前記押え板がシート状物を押えて地面に固定せんとするものであった。しかしながら、この種の押え杭は、支持杭の周面が平滑であったために抜けやすく、その結果、風によってシート状物が剥がれ易い欠点があった。
【０００３】
そこで、特許文献２が開示するような押え杭が提案されている。この押え杭ａは図２４に示すように、杭本体ｂの側面部ｃにアンカー突部ｄが突設されてなり、該杭本体ｂを地中に押し込むと、該アンカー突部が該杭本体ｂの周辺の土に食い込んで杭の引き抜き抵抗力を向上させんとするものであった。しかしながら該押え杭ａによるときは、杭本体ｂの側面部ｃにアンカー突部ｄが突設されていたことから該杭本体ｂを地中に押し込んだ際に、該アンカー突部ｄが土を引っ掻いて杭本体の周辺の土を崩した。かかることから、該杭本体ｂを地中に押し込んだ後、降雨によって地盤が締め固められた状態となるまでは押え杭の引き抜き抵抗力が不十分となって、シート状物の押え効果を不安定化させる問題があった。
【０００４】
そこで、杭の引き抜き抵抗力を増大させるために特許文献３が開示する技術の応用が考えられる。特許文献３が開示する杭ｅは図２５に示すように、地中に押し込まれる杭本体ｆの側面部ｇにアンカー羽根ｈを取り付けてなり、該アンカー羽根ｈは、その下端部ｊが該杭本体ｆに回動可能に取り付けられていた。そして該アンカー羽根ｈは、該杭本体ｆにその軸線方向に沿わせて閉じた状態（図２５（Ａ））から、図２５（Ｂ）に示すように、該杭本体ｆに対して鋭角に拡開し得るようになされていた。該杭ｅによるときは、杭本体ｆを地中に押し込んだ後に該杭本体ｆを引き抜き方向に戻すことによって、前記アンカー羽根ｈを該杭本体ｆに対して鋭角に拡開させることができた。そして、該拡開したアンカー羽根ｈのアンカー作用によって、このように拡開した直後から、杭の引き抜き抵抗力を増大させることができた。
【０００５】
しかしながら、かかる引き戻し拡開式の杭ｅをシート状物ｋの押えに用いた場合は、図２６に示すように、地中に押し込んだ杭本体ｆを引き戻した際に押え板ｍが前記シート状物ｋの表面ｎから浮き上がるため、シート状物ｋを地面に固定する効果が得られない問題を招来することとなる。又、かかる引き戻し拡開式の杭ｅにあっては、前記アンカー羽根ｈの拡開が目視不能の地中で行われることから、該アンカー羽根ｈを拡開させるための杭本体ｆの引き戻し量が杭毎にバラツキ易く、複数本の杭を地中に打ち込んだ場合にその上端高さが揃いにくかった。加えて、杭本体ｆを必要以上に引き戻した場合は、拡開したアンカー羽根ｈが、該杭本体ｆの引き戻しに伴って該杭本体ｆの周辺の土を上方向に引っ掻いて崩すため、このことが杭の引き抜き抵抗力を不安定化させる問題もあった。
【先行技術文献】
【特許文献】
【０００６】
【特許文献１】実開平６−８６４４２号公報
【特許文献２】特開平６−２４５６５号公報
【特許文献３】特開２００５−９２９５号公報
【発明の概要】
【発明が解決しようとする課題】
【０００７】
本発明は前記従来の問題点に鑑みて開発されたものであり、打ち込む等して地中への押し込みを容易に行うことができながら、押し込んだ後に所要の回転操作を施せばその直後から引き抜き抵抗力の増大を期し得る杭の提供を課題とするものである。
【課題を解決するための手段】
【０００８】
前記課題を解決するため、本発明は以下の手段を採用する。
即ち本発明に係る杭は、地中に押し込まれる杭本体の側面部に傾倒アンカー片の下端部が連結され、該傾倒アンカー片が、該杭本体の軸線に略沿った起立状態から下方向に傾倒される如くなされている。そして該傾倒アンカー片は、前記杭本体を地中に押し込んだ状態で該杭本体をその軸線回りに回転させることにより、土の抵抗によって、該杭本体の回転方向と逆方向に傾倒でき、該傾倒アンカー片が該傾倒に伴って土に切り入ることを特徴とするものである。
【０００９】
本発明に係る杭のより好ましい態様は、地中に押し込まれる杭本体の側面部で張り出す張出部の上部に傾倒アンカー片の下端部が連結され、該傾倒アンカー片が、該杭本体の軸線に略沿った起立状態から下方向に傾倒される如くなされており、該傾倒アンカー片は、前記杭本体を地中に押し込んだ状態で該杭本体をその軸線回りに回転させることにより、土の抵抗によって、該杭本体の回転方向と逆方向に傾倒でき、該傾倒アンカー片が該傾倒に伴って土に切り入ることを特徴とするものである。
【００１０】
前記杭本体に前記張出部を設ける場合、前記張出部を、前記杭本体の半径方向に張り出す板状を呈する如く構成すると共に、該張出部の張り出し方向で見た外側の側縁部を、その下端に向かうにつれて前記杭本体に接近する如く構成するのがよい。より好ましくは、前記張出部を、前記杭本体の半径方向に張り出す板状を呈する如く構成すると共に、該張出部の張り出し方向で見た外側の側縁部を、その下端に向かうにつれて前記杭本体に接近する如く内方に緩く湾曲した湾曲縁部として構成するのがよい。
【００１１】
前記傾倒アンカー片を、前記起立状態において、前記回転方向で見て前後の面が垂直状面を呈する板状に形成するのがよい。
【００１２】
前記杭本体が前記張出部を有する場合、前記傾倒アンカー片を、前記起立状態において、前記回転方向で見て前後の面が垂直状面を呈する板状に形成し、該傾倒アンカー片の、前記回転方向で見た先端縁部を、前記傾倒に伴って土に切り入る鋭角の刃状部として形成するのがよい。
【００１３】
起立状態にある前記傾倒アンカー片は、平面視で、時計回り及び反時計回りの双方に傾倒可能とするのがよい。
【００１４】
又、前記傾倒アンカー片が９０度よりも小さい角度に傾倒した状態で互いに当接し得る上下のストッパ部を設け、該上のストッパ部は前記傾倒アンカー片の下端側に設けると共に、該下のストッパ部は前記側面部に設けるのがよい。
【００１５】
又、前記傾倒アンカー片の傾倒角度が、前記上下のストッパ部が互いに当接することによって２０〜６０度に規制された状態で、前記杭本体に引き抜き荷重が加えられたときに、前記傾倒アンカー片が該上下のストッパ部の当接部を支点として下方向に弾性的に撓み変形し得る如く構成するのがよい。
【００１６】
又、前記傾倒アンカー片を前記杭本体の側面部に、上下方向で複数段に設け、最下段の傾倒アンカー片を除く他の傾倒アンカー片は、その全長を、該最下段の傾倒アンカー片の全長よりも長く形成するのがよい。
【００１７】
又、前記傾倒アンカー片を前記杭本体の側面部に、上下方向で複数段に設け、各段について見た場合、前記側面部の対向側の２個所に前記傾倒アンカー片を設けることとし、該側面部の対向する夫々の側で、前記傾倒アンカー片が上下方向で見て並設状態となるように構成するのがよい。
【００１８】
又、前記杭本体の上端に、シート状物を押える押え板を設けることがある。この場合、該押え板の上面に、前記杭本体を回転させるための摘み部を設けるのがよい。
【発明の効果】
【００１９】
本発明は以下の如き優れた効果を奏する。
(1) 本発明に係る杭によるときは、前記杭本体を地中に押し込んだ状態でこれをその軸線回りに回転させると、前記傾倒アンカー片が土に切り入ることによって該傾倒アンカー片を該杭本体の回転方向と逆方向に傾倒させることができる。従って本発明によるときは、該杭本体を地中に押し込んだ後に該杭本体に所要の回転操作を施せば、その直後から、杭の引き抜き抵抗力を一挙に増大させることができる。
【００２０】
このように本発明によるときは、特許文献２に記載の杭のように、降雨によって地盤が締め固められた状態となるまでは杭の引き抜き抵抗力が不十分であったのとは異なり、前記回転操作を施せばその直後から引き抜き抵抗力の増大を期し得る利点がある。
【００２１】
又、杭本体の前記回転操作によっても、特許文献３記載の杭におけるように杭本体が浮き上がることがないため、該杭本体に押え板が設けられている場合は、該押え板によってシート状物の固定作用が良好に発揮される。そして該回転によっても該杭本体が浮き上がることがないため、複数本の杭を地中に打ち込んだ場合にその上端高さが揃うことになる。加えて、該杭本体の回転が過剰になったとしても、特許文献３記載の引き戻し拡開式の杭のように杭本体の周辺の土が崩されにくく、安定的な引き抜き抵抗力が発揮されることとなる。
【００２２】
(2) 前記傾倒アンカー片を、前記杭本体の側面部で張り出す張出部の上部に連結する場合は、該傾倒アンカー片が、土の抵抗によって傾倒し易くなる。特に前記張出部を、前記杭本体の半径方向に張り出す板状を呈する如く構成すると共に、該張出部の張り出し方向で見た外側の側縁部を、その下端に向かうにつれて前記杭本体に接近する如く構成する場合は、前記傾倒アンカー片が、土の抵抗によって傾倒し易くなると共に、該杭本体をその軸線回りに回転させた際に、該張出部によって杭本体の周辺地盤が乱されるのを少なくできて好ましい。この場合、前記外側の側縁部を、その下端に向かうにつれて前記杭本体に接近する如く内方に緩く湾曲した湾曲縁部として構成する場合は、前記杭本体からの前記側縁部の張出しを極力小さくできるため、該張出部によって杭本体の周辺部分が乱されるのをより抑制できることとなる。
【００２３】
前記傾倒アンカー片の、前記回転方向で見た先端縁部を、該傾倒に伴って土に切り入る鋭角の刃状部として構成する場合は、該傾倒アンカー片が前記杭本体の回転に伴い土に切り入るのをより容易化できる利点がある。
【００２４】
(3) 前記傾倒アンカー片を、その起立状態において、前記回転方向で見て前後の面が垂直状面を呈する板状に構成する場合は、前記杭本体に引き抜き荷重が加わった場合、該傾倒アンカー片の、引き抜き抵抗力の増大に寄与する面積をより大きく確保できることとなる。従って、該傾倒アンカー片に土の抵抗がより大きく掛かることになるので、杭本体の引き抜き抵抗力をより増大させることができる。
【００２５】
(4) 前記傾倒アンカー片を、その起立状態において、前記回転方向で見て前後の面が垂直状面を呈する板状に構成し、且つ、前記傾倒アンカー片の、前記回転方向で見た先端縁部を、該傾倒に伴って土に切り入る鋭角の刃状部として形成する場合は、該傾倒アンカー片が前記杭本体の回転に伴い土に切り入りのをより容易化できる利点がある。そして前記と同様にして、杭本体の引き抜き抵抗力をより増大させることができる。
【００２６】
(5) 起立状態にある前記傾倒アンカー片を、平面視で、時計回り及び反時計回りの双方に傾倒可能とする場合は、該杭本体を地中に押し込んだ後におけるその回転操作に際し、回転方向に制約がない利点がある。
【００２７】
(6) 前記傾倒アンカー片が９０度よりも小さい角度に傾倒した状態で互いに当接し得る上下のストッパ部を設ける場合は、前記傾倒アンカー片の傾倒角度を上下のストッパ部の当接によって９０度よりも小さい角度に規制できる。従って、前記杭本体に引き抜き方向の荷重が加えられた時にも該傾倒アンカー片は斜め上方に突出した状態で保持され、斜め下方に突出した状態になりにくく、大きな引き抜き抵抗力を持続させ得る。
【００２８】
特に、前記傾倒アンカー片の傾倒角度が、前記上下のストッパ部が互いに当接することによって２０〜６０度に規制された状態で、前記杭本体に引き抜き荷重が加えられたときに、該傾倒アンカー片が該上下のストッパ部の当接部を支点として下方向に弾性的に撓み変形し得るように構成する場合は、該撓み変形に伴う傾倒アンカー片の付勢作用によって前記杭本体が下方向に付勢される。従って、該杭本体の上端に、シート状物を押える押え板が設けられる場合は、該押え板によるシート状物の押えが安定的に持続されることになる。
【００２９】
(7) 前記傾倒アンカー片が前記杭本体の側面部に、上下方向で複数段に設けられたものとし、最下段の傾倒アンカー片を除く他の傾倒アンカー片は、その全長が、該最下段の傾倒アンカー片の全長よりも長く形成する場合は、より合理的な杭を提供できることとなる。即ち、前記杭本体を回転させる際に前記傾倒アンカー片が土に切り入るときの土の抵抗の程度と、傾倒状態にある傾倒アンカー片が発揮する引き抜き抵抗力の大きさとを、杭本体を地中に押し込んだ状態での傾倒アンカー片が存する場所における土の固さの程度を考慮してバランスさせて、傾倒アンカー片を傾倒させる際の土の抵抗をそれ程大きくせず、然も、傾倒アンカー片を傾倒させた状態においては、より大きな引き抜き抵抗力を確保し得る杭を提供できることとなる。
【００３０】
(8) 前記傾倒アンカー片が前記杭本体の側面部に、上下方向で複数段に設けられたものとなされ、各段についてみた場合、前記側面部の対向側の２箇所に前記傾倒アンカー片が設けられたものとなし、該側面部の対向する夫々の側で、前記傾倒アンカー片を上下方向で見て並設状態とするときは、前記杭本体に前記傾倒アンカー片が起立状態に設けられている形態を、平板状を呈するものとなし得る。これによって、該杭本体を地中に押し込むのが容易化され、又、該杭本体を、防草シート等のシート状物に設けたスリットを通して地中に押し込む場合、該スリットの拡開を極力小さく抑制できることとなる。
【図面の簡単な説明】
【００３１】
【図１】本発明に係る杭を示す斜視図である。
【図２】その杭をシート状物を押える押え杭として用いた場合を示す部分断面図と、杭の上端側の部分を下側から見た斜視図である。
【図３】杭の下端側部分を示す斜視図とその正面図である。
【図４】傾倒アンカー片の傾倒作用を説明する正面図である。
【図５】傾倒アンカー片が３０度程度傾いた状態を示す杭の斜視図である。
【図６】杭を地中に押し込んだ状態とその杭を回転操作した状態を示す正面図である。
【図７】傾倒アンカー片の傾倒状態を示す正面図と平面図である。
【図８】傾倒アンカー片が上下のストッパ部の当接部を支点として下方向に弾性変形した状態を示す正面図である。
【図９】本発明に係る杭を、地面に敷設された防草シートに設けたスリットを通して地面に突き刺す作業工程を説明する斜視図である。
【図１０】杭上端の押え板が防草シートの上面を押えた状態を示す断面図と、その状態における前記スリットの拡開状態を示す断面図である。
【図１１】傾倒アンカー片が傾倒する様子を説明する斜視図である。
【図１２】傾倒アンカー片が傾倒して杭本体の周辺部分の土に食い込んだ状態を示す平面図である。
【図１３】本発明に係る杭の他の態様を説明する斜視図と、杭本体に対する傾倒アンカー片の連結構成を説明する分解斜視図と、傾倒アンカー片の下端部を杭本体の側面部に連結した状態を示す断面図である。
【図１４】その傾倒アンカー片の傾倒状態を示す斜視図と平面図である。
【図１５】その傾倒アンカー片の傾倒態様を説明する正面図と断面図である。
【図１６】杭本体の側面部に対する傾倒アンカー片の下端部の連結構成の他の態様を説明する斜視図と断面図である。
【図１７】傾倒アンカー片のその他の態様を説明する斜視図である。
【図１８】傾倒アンカー片のその他の態様を説明する斜視図である。
【図１９】傾倒アンカー片の別の傾倒態様を説明する正面図と平面図である。
【図２０】杭本体の下端側にのみ傾倒アンカー片が設けられてなる杭を示す正面図である。
【図２１】先端縁部に刃状部を具える傾倒アンカー片を説明する斜視図と平面図である。
【図２２】上下のストッパ部が省略された杭を示す部分斜視図と部分正面図と、その傾倒アンカー片が９０度傾倒した状態を示す斜視図である。
【図２３】傾倒アンカー片の下端部を杭本体の側面部に連結するその他の態様を説明する斜視図と正面図と、該傾倒アンカー片の傾倒状態を説明する部分斜視図である。
【図２４】従来のシート状物の押え杭を説明する斜視図である。
【図２５】従来の引き上げ拡開式の杭を、アンカー羽根が閉じた状態と開いた状態で示す正面図である。
【図２６】その杭をシート状物の押えに用いた場合の問題点を説明する断面図である。
【発明を実施するための形態】
【実施例１】
【００３２】
図１〜３において本発明に係る杭１は、シート状物２（図２（Ａ））を押える押え杭１ａとして構成されている。該杭１は、ＡＢＳ樹脂やポリプロピレン、ナイロン等の合成樹脂を用いて一体に形成されており、図２（Ｂ）に示すように、円板状を呈してシート状物２を押える押え板３の下面５の中央部に、横断面が円形状を呈して地中に押し込まれる丸棒状の杭本体６が下方向に突設されている。該杭本体６の下端側部分をなす突き刺し軸部７（図１）は、下端９に向けて先細りのテーパ軸状に形成されている。又該杭本体６の上端部分は、上方に向けて大径となる円錐部１０（図２（Ｂ））として形成されており、前記押え板３の上面１１には、該杭本体６をその軸線Ｌ回りに回転させるための、例えば直線状を呈する摘み部１２が設けられている。
【００３３】
そして、図１、図４に示すように該杭本体６の側面部１３に傾倒アンカー片１５の下端部１６が連結され、該傾倒アンカー片１５は、該杭本体６の軸線Ｌに略沿った起立状態（図１、図４（Ａ））から、図５に示し、図６（Ｂ）（Ｃ）に示すように、下方向に傾倒される如くなされている。そして該傾倒アンカー片１５は、図６（Ａ）に示すように該杭本体６を地中に押し込んだ状態で、図５、図６（Ｂ）（Ｃ）、図７（Ｃ）（Ｅ）に示すように、該杭本体６をその軸線Ｌ回りに回転させると、土の抵抗によって、該杭本体６の回転方向Ｆ（図５、図７（Ｃ））と逆方向に傾倒でき、この際、該傾倒アンカー片１５の、該回転方向Ｆで見た先端縁部１７（図５、図１１）が、該傾倒に伴って土に切り入るようになされている。
【００３４】
本実施例においては図１、図６（Ａ）に示すように、前記傾倒アンカー片１５が、前記側面部１３に、下側の部分１９と中間部分２０と上側の部分２１の上下３段に設けられており、該側面部１３の対向する夫々の側２２，２３で、該傾倒アンカー片１５が上下方向で見て並設状態とされている。そして、最下段の傾倒アンカー片１５ａを除く他の傾倒アンカー片１５ｂ，１５ｃ、即ち、中段の傾倒アンカー片１５ｂと上段の傾倒アンカー片１５ｃは、その全長が、該最下段の傾倒アンカー片１５ａの全長よりも長く形成されている。本実施例においては１．８倍程度に長く形成されている。そして各段の傾倒アンカー片１５ａ，１５ｂ，１５ｃは、本実施例においては図１に示すように、前記側面部１３の対向側の２箇所に設けられている。
【００３５】
前記傾倒アンカー片１５の構成と、前記側面部１３に対する前記傾倒アンカー片１５の下端部１６の連結構成をより具体的に説明すれば、図１に示すように、各段において、横断面円形状を呈する丸棒状の杭本体６の前記側面部１３の対向側の２箇所で、該側面部１３で張り出す張出部２５が設けられている。該張出部２５は、本実施例においては図１、図３に示すように、前記杭本体６の半径方向に張り出す板状を呈している。その上部としての上端縁部２６は水平縁部として形成され、該上端縁部２６の内端５３が該側面部１３から稍離間しており、該張出部１５の張出し方向で見た外側の側縁部２９は、下端２８に向うほど該杭本体６に接近する如く構成されている。本実施例においては、下方に向けて該杭本体６に接近する如く内方に緩く湾曲した湾曲縁部として形成されている。
【００３６】
又前記傾倒アンカー片１５は、その起立状態において、図１、図３、図４（Ａ）に示すように、前記回転方向Ｆで見て前後対向する面３０，３１（以下、前面３０、後面３１ともいう）が垂直状面を呈する板状に形成されている。その下端部としての下端縁部３２は水平縁部として構成され、該下端縁部３２の厚さ方向の中央部分３３が、図１、図３、図４（Ａ）に示すように、薄肉屈曲部３５を介して前記上端縁部２６に連結されている。これによって、起立状態にある前記傾倒アンカー片１５は、図７（Ａ）に矢印で示すように、平面視で、時計回りＦ１及び反時計回りＦ２の双方で傾倒可能となされている。又該傾倒アンカー片１５は、その起立状態において、図３に示すように、その外側の側縁部３６が垂直縁部として構成されると共にその内側の側縁部３７は、下側部分３９が垂直縁部を呈し、該下側部分３９の上端４０から水平上縁部４１に向うにつれて外方に湾曲している。
【００３７】
かかる構成を有する杭１の前記押え板３よりも下側の部分の平面視形態は図７（Ａ）に示すように、全体として直線状部４２として構成されている。即ち、前記杭本体６に前記張出部２５を介して前記傾倒アンカー片１５が起立状態に設けられている形態は、図１に示すように、全体として平板状を呈する。
【００３８】
又本実施例においては図１、図３〜５に示すように、前記傾倒アンカー片１５の傾倒角度を９０度よりも小さい角度に規制するための上下のストッパ部４３，４５が設けられている。該上下のストッパ部４３，４５は、本実施例においては図４（Ｂ）（Ｃ）、図５に示すように、前記傾倒アンカー片１５が起立状態から３０度程度傾倒した状態で互いに当接できるものであり、前記回転方向Ｆで見て前後側の双方に設けられている。該上のストッパ部４３は、前記傾倒アンカー片１５の前面３０と後面３１の夫々の下端部分に設けられると共に、該下のストッパ部４５は、前記板状の張出部２５の前面４６と後面４７の夫々の上端部分に設けられている。即ち、前記側面部１３に設けられている。
【００３９】
然して、前記杭本体６を地中に押し込んだ状態で該杭本体６をその軸線Ｌ回りに回転させると、前記の全ての傾倒アンカー片１５は図６（Ｂ）（Ｃ）、図７（Ｃ）（Ｄ）、図７（Ｅ）（Ｆ）に示すように、土の抵抗によって、該杭本体６の回転方向Ｆと逆方向に徐々に傾倒して行く。この際、該傾倒アンカー片１５の、前記回転方向Ｆで見た先端縁部１７が該傾倒に伴って土に切り入る。図５、図６（Ｃ）、図７（Ｅ）（Ｆ）は、前記傾倒アンカー片１５の傾倒角度が前記上下のストッパ部４３，４５で３０度程度に規制された状態を示している。そして本実施例においては、前記杭１が合成樹脂を用いて一体に形成されているため、前記傾倒アンカー片１５は弾性変形可能である。かかることから、このように地中に押し込まれた状態にある前記杭本体６に矢印方向の引き抜き荷重が加えられたときは、図８に一点鎖線で示すように、該傾倒アンカー片１５が該上下のストッパ部４３，４５の当接部４９を支点として下方向に弾性変形し得るようになされている。
【００４０】
かかる構成を有する杭１の主要部の寸法を例示すれば、前記押え板３の直径は５５ｍｍ程度で、その外周部５１の厚さは５ｍｍ程度、その摘み部１２の平面視での幅は６ｍｍ程度に設定されている。又、前記杭本体６の長さは１６０ｍｍ程度で、その直径は８ｍｍ程度に設定され、前記円錐部１０の径は２８ｍｍ程度に設定されている。そして、前記板状の張出部２５の肉厚は１．５ｍｍ程度、その上下長さは２７ｍｍ程度、前記上端縁部２６の長さは６ｍｍ程度に設定されている。又、前記板状の張出部２５の上端縁部２６の内端５３（図３（Ｂ））と前記側面部１３との間の距離は２ｍｍ程度に設定され、該上端縁部２６の外端５５（図３（Ｂ））と前記側面部１３との間の距離は８ｍｍ程度に設定されている。又、前記傾倒アンカー片１５の下端縁部３２の長さは６ｍｍ程度で、その全長は、下段の傾倒アンカー片１５ａにあっては１７ｍｍ程度、中段及び上段の傾倒アンカー片１５ｂ，１５ｃにあっては３０ｍｍ程度に設定されている。又、前記直線状部４２の幅は８ｍｍ程度でその長さは２４ｍｍ程度に設定されている。
【００４１】
このような構成を有する杭１を用いて、地面５６を覆う防草シート５７としてのシート状物２を押えてこれを地面５６に固定するに際しては、先ず図９（Ａ）に示すように、該シート状物２に、前記直線状部４２（図７（Ａ））の長さによりも若干長い直線状のスリット５９をカッターナイフで入れる。このスリット５９を通して前記杭本体６の前記突き刺し軸部７を地中に挿入し、該杭本体６を地面に突き刺した後、前記押え板３の上面１１（例えば、前記摘み部１２の上面）をハンマー等で叩くことによって或いは手で押圧することによって、該杭本体６を地中に押し込む。前記したように、前記杭本体６に前記張出部２５を介して前記傾倒アンカー片１５が起立状態に設けられている形態は、垂直な平板状を呈するため、図９（Ｂ）に示すように、前記直線状部４２を地中に順次無理なく押し込むことができる。従って、該杭本体６を地中に押し込むのが容易である。又この際、該直線状部４２を地中に押し込むため、前記スリット５９の拡開を極力小さく抑制できる。
【００４２】
このように押し込んで、図１０（Ａ）に示すように、前記押え板３の下面５を前記シート状物２の上面６０に当接状態とする。この状態で図１０（Ｂ）に示すように、前記スリット５９の対向縁６１，６１が前記円錐部１０の周面５８に接した状態となる。
【００４３】
この状態で、図６（Ｂ）（Ｃ）、図７（Ｃ）（Ｄ）、図７（Ｅ）（Ｆ）に示すように、前記杭本体６をその軸線回りに回転させる。この回転操作は、前記摘み部５２を指で摘んで前記押え板３を手回しで回転させて行う。本実施例においては前記のように、前記張出部２５の突出量を極力小さくするために前記外側の側縁部２９を湾曲縁部として構成している（図１）。かかることから、前記杭本体６をその軸線Ｌ回りに回転させた際に、該張出部２５によって杭本体６の周辺地盤が乱されることが少ない。
【００４４】
この回転方向Ｆは、図７（Ａ）において矢印Ｆ１で示す時計回りでも、図７（Ａ）に矢印Ｆ２で示す反時計回りでもよい。そしてこの回転は、前記スリット５９の対向縁６１，６１が前記円錐部１０の周面５８に接した状態で行われるため、該スリット５９の側縁部分６２，６２が捩じれたり皺になったりしてスリット５９が大きく拡開されるのが防止される。
【００４５】
杭本体６をこのようにして軸線Ｌ回りに回転させると、前記傾倒アンカー片１５は、土の抵抗により、図６（Ｂ）（Ｃ）、図７（Ｃ）（Ｄ）、図７（Ｅ）（Ｆ）に示すように、該杭本体６の回転方向Ｆと逆方向に傾倒する。この際、図１１に示すように、前記傾倒アンカー片１５の、前記回転方向Ｆで見た先端縁部１７が刃状部６３となって、図１１に矢印で示す下向きの螺旋状の軌跡を描きながら順次土に切り入り、該傾倒アンカー片１５が徐々に下方向に傾倒する。
【００４６】
その結果、該傾倒アンカー片１５の、前記起立状態から下方向への傾倒が無理なく行われることになる。そして図５に示すように、該傾倒アンカー片１５が起立状態から３０度程度下方向に傾倒した状態で、前記回転方向Ｆで見て後側に存する前記上下のストッパ部４３，４５が互いに当接するので、該傾倒アンカー片１５は、３０度程度に傾倒した状態で保持される。
【００４７】
傾倒アンカー片１５の傾倒角度がこのように上下のストッパ部４３，４５で規制されることから、前記杭本体６を過剰に回転させたとしても、例えば１回転させたとしても、該傾倒アンカー片１５の傾倒状態は、この規制された傾倒角度の状態で保持される。回転が過剰になったとしても、特許文献３に記載されている引き戻し拡開式の杭のように、杭本体６の周辺の土を崩しにくいのである。なおこの際、杭本体６の周辺の地盤状態によっては、該傾倒アンカー片１５の先側縁部１７が前記上下のストッパ部４３，４５の当接部６４を支点として下方向に弾性的に撓み変形することはある。そして杭１の上端高さは、該杭本体６の前記回転の前後で変わるということはない。
【００４８】
前記傾倒アンカー片１５は、このように、前記杭本体６の周辺部分の土に食い込んだ状態となるので、該食い込んだ状態となった直後から、杭１の引き抜き抵抗力が一挙に増大することになる。特に本実施例においては図１２に示すように、傾倒アンカー片１５が、前記張出部２５の回転によって乱された部分６５に存するのではなく、その外側部分５８で土に食い込んだ状態となるため、該傾倒アンカー片１５による引き抜き抵抗作用がより効果的に発揮される。なお図１２においては、該乱された部分６５を、散点を付して例示している。又本実施例においては、前記傾倒アンカー片１５が、その起立状態で見て前後対向する面３０，３１が垂直状面を呈する板状に構成されているため、前記杭本体６に引き抜き荷重が加わった場合、該傾倒アンカー片１５の、引き抜き抵抗力の増大に寄与する面積をより大きく確保できることとなる。従って、該傾倒アンカー片１５には土の抵抗がより大きくかかるので、杭本体６の引き抜き抵抗力をより増大させ得ることとなる。
【００４９】
又本実施例においては、前記したように、下段の傾倒アンカー片１５ａの全長は比較的短く設定される一方、前記中段の傾倒アンカー片１５ｂ及び前記上段の傾倒アンカー片１５ｃの全長は比較的長く設定されている。このように構成したのは、深度が比較的大きくて土が比較的固い場所においては、傾倒アンカー片１５ａの全長を比較的短かくして、その傾倒時の抵抗を極力小さくするためである。そして、傾倒アンカー片１５の全長が比較的短かく設定されても、所要角度（本実施例においては３０度程度の角度）の傾倒状態における引き抜き抵抗力は、その周辺部分における土が比較的固いために効果的に確保できる。一方、深度が比較的小さい中段及び上段の傾倒アンカー片１５ｂ，１５ｃが存する場所では、土が比較的柔らかいため、該傾倒アンカー片１５ｂ，１５ｃの所要の傾倒状態における引き抜き抵抗力をより大きく確保するために、前記傾倒アンカー片１５ｂ，１５ｃの全長を比較的大きく設定しているのである。そして、このように全長を比較的大きく設定しても、これらが存する場所における土は比較的柔らかいために、これらの傾倒時の抵抗はそれ程大きくならない。
【００５０】
本実施例においては、このように、前記杭本体６を回転させる際に前記傾倒アンカー片１５が土に切り入るときの土の抵抗の程度と、傾倒状態にある傾倒アンカー片１５が発揮する土の引き抜き抵抗力の大きさとを、杭本体６を地中に押し込んだ状態での傾倒アンカー片１５が存する場所における土の固さの程度を考慮してバランスさせ、傾倒アンカー片１５を傾倒させる際の土の抵抗をそれ程大きくさせず、然も、傾倒アンカー片１５を傾倒させた状態においては、より大きな引き抜き抵抗力を確保し得るように、杭１を構成しているのである。
【００５１】
かかることから、杭本体６を地中に押し込んだ後に該杭本体６に所要の回転操作を施せば、その直後から、杭の引き抜き抵抗力が一挙に増大する。そして、該杭本体６を回転させた状態でも、前記押え板３は前記シート状物２を押えた状態にある。これによって、シート状物２を地中に安定状態で固定できることとなる。又前記のように、前記杭本体６を地中に押し込む際や前記杭本体６を回転させる際に前記スリット５９が大きく拡開することがないため、前記押え板３が前記スリット５９を覆った状態において、該スリット５９を通して草が生えてきにくい。
【００５２】
そして本実施例においては、前記傾倒アンカー片１５の傾倒角度が前記上下のストッパ部４３，４５の当接によって９０度よりも小さい角度に規制される。かかることから、前記杭本体６に引き抜き方向の荷重が加えられた時にも該傾倒アンカー片１５は斜め上方に突出した状態で保持され、斜め下方に突出した状態になりにくく、大きな引き抜き抵抗力を持続させ得る。特に本実施例においては、傾倒アンカー片１５の傾倒角度が３０度程度に規制されるため、斜め下方に突出した状態には一層なり難く、大きな引き抜き抵抗力をより安定的に持続させることができる。
【００５３】
加えて本実施例においては、前記傾倒アンカー片１５の傾倒角度が３０度程度に規制されるため、該傾倒アンカー片１５は、下方向に弾性的に撓み変形できる余裕が大きい。従って、この規制された状態で前記杭本体６に引き抜き方向の荷重が加えられたときは、該傾倒アンカー片１５が、例えば図８に一点鎖線で示すように、該上下のストッパ部４３，４５の当接部４９を支点として下方向に撓み変形できることになる。かかることから、該撓み変形に伴う各傾倒アンカー片１５の付勢作用によって前記杭本体６は下方向に付勢され、従って、前記押え板３によるシート状物２の押えが安定的に持続されることになる。
【実施例２】
【００５４】
本発明は、前記実施例で示したものに限定されるものでは決してなく、「特許請求の範囲」の記載内で種々の設計変更が可能であることはいうまでもない。その一例を挙げれば次のようである。
【００５５】
(1) 図１３〜１４は、前記杭本体６の側面部１３に前記のような張出部２５を設けることなく、傾倒アンカー片１５を該杭本体６の側面部１３に直接的に設けた場合の一例を示すものであり、例えば丸棒状を呈する杭本体６の側面部１３の対向側を上下方向に比較的長く欠切して欠切凹部６６，６６を形成し、該欠切凹部６６の底面６７を垂直面に形成してなる。そして、棒状の傾倒アンカー片１５，１５が該欠切凹部６６，６６に嵌め入れられている。該棒状の傾倒アンカー片１５は、その内面６８が前記底面６７と当接し得る平坦面として形成されると共に、その外面６９は円弧状突面として形成されており、該外面６９が、前記杭本体６の円周面上に存する如くなされ、起立状態で見た前後の側縁部７９，７９が細く形成されている。そして図１３（Ｂ）に示すように、該傾倒アンカー片１５の下端部分７０に、前記欠切凹部６６の底面部７１で支持される枢軸７２を挿通させるための枢支孔７３が設けられている。該枢軸７２は、軸部７５の基端に係合頭部７６が設けられており、図１３（Ｃ）に示すように、該軸部７５が、該傾倒アンカー片１５の下端部分７０に設けられている前記枢支孔７３をその外側から挿通し、その先端部７８が前記底面部７１に固定されることにより、図１３（Ａ）に示すように、前記傾倒アンカー片１５の下端部１６が、該枢軸７２を介して該底面部７１（前記杭本体６の側面部１３）に連結されている。図１３（Ｂ）においては、該先端部７８が前記底面部７１に設けた支持孔７７に圧入されている。これによって該傾倒アンカー片１５が、図１４に示すように、前記杭本体６の軸線Ｌに略沿った起立状態から下方向に所要角度に傾倒可能となされる。
【００５６】
なお該枢軸７２による枢着は、該傾倒アンカー片１５が前記杭本体６の軸線Ｌに略沿った起立状態で保持されるように前記係合頭部７６が前記下端部分７０の外面７９（図１３（Ｃ））を一定の押圧力で押圧する如くなすのがよい。該傾倒アンカー片１５の傾倒は、前記杭本体６を地中に押し込んだ状態で該杭本体６をその軸線Ｌ回りに回転させる際に、土の抵抗により、該杭本体６の回転方向Ｆと逆方向に傾倒できるようになされている。そして該傾倒の際、該傾倒アンカー片１５が土に切り入る。より詳しくは、該傾倒アンカー片１５が、下向きの螺旋状の軌跡を描きながら順次土に切り入り、図１４（Ａ）に示すように下方向に傾倒できる。
【００５７】
本実施例においては、起立状態にある前記傾倒アンカー片１５は、図１５に示すように、平面視で、時計回りＦ１及び反時計回りＦ２の双方で傾倒可能となされている。そして本実施例においては、前記傾倒アンカー片１５の傾倒角度を３０度程度に規制するための上下のストッパ部４３，４５が設けられている。該上のストッパ部４３は、前記傾倒アンカー片１５の下端側の側縁部７９ａ，７９ａとして構成される一方、前記下のストッパ部４５は、前記欠切凹部６６の下端の前後の縁部８０，８０として構成されている。
【００５８】
かかる構成を有する杭１によるときは、前記傾倒アンカー片１５，１５が起立状態においては、該傾倒アンカー片１５，１５が前記杭本体６の側面部１３から突出状態とはならず、起立状態にある両傾倒アンカー片１５，１５と該杭本体６との結合体が全体として１本の丸棒状を呈するため、該杭本体６の地中への押し込みをより容易に行うことができる。そして、該杭本体６を地中に押し込んだ状態で該杭本体６をその軸線Ｌ回りに回転させると、土の抵抗により、該杭本体６の回転方向と逆方向に傾倒アンカー片１５，１５が傾倒状態となるため、杭本体６の引き抜き抵抗力が一挙に増大することになる。
【００５９】
なお、前記傾倒アンカー片１５を傾倒可能に連結する手段は、例えば図１６に示すように、前記欠切凹部６６の前記底面６７の下端部分で突設した係合突部８１を、前記傾倒アンカー片１５の下端部分７０に貫設した係合孔部８４に抜け止め状態で嵌入させて行う枢着手段によってもよい。この場合、該嵌入を容易化するために、該下端部分７０に適宜割溝８２を設けるのがよい。又これとは逆に、該傾倒アンカー片１５の下端部分７０に突設した係合突部を前記欠切凹部６６の前記底面６７の下端部分に設けた係合孔部に抜け止め状態で嵌入させて行う枢着手段によってもよい。
【００６０】
なおこれらの場合、該傾倒アンカー片１５が、これが傾倒する際に土の抵抗を受けやすくするために、例えば図１７に示すように、該傾倒アンカー片１５の外面６９の適部位に、上下方向に延長する突条等の抵抗片８３を設けるのがよい。
図１８は、前記杭本体６の側面部１３に対する前記傾倒アンカー片１５の下端部１６のその他の連結構成を示すものであり、前記傾倒アンカー片１５が９０度よりも小さい角度（例えば３０度程度の角度）に傾倒した状態で互いに当接し得る上下のストッパ部４３，４５が設けられている。
【００６１】
又、前記傾倒アンカー片１５が前記杭本体６の回転方向Ｆと逆方向に傾倒するとは、前記杭本体６を地中に垂直に押し込む場合について見れば、例えば図７に示すように水平な回転中心縁部（前記上端縁部２６）の回りに傾倒することの他、例えば図１９に示すような、傾斜する回転中心縁部８６の回りに傾倒する場合を含むものである。
【００６２】
(2) 本発明において、前記傾倒アンカー片１５が前記杭本体６の軸線Ｌに略沿った起立状態になるとは、該傾倒アンカー片１５が該軸線Ｌに対して稍傾斜した状態を含むものもあり、全体として見て略起立状態になることを含むものである。
【００６３】
(3) 前記傾倒アンカー片１５は、前記杭本体６の側面部１３の周方向に１個のみを設けることがある他、例えば、周方向に１２０度や９０度の角度ピッチで３個乃至４個等、複数個設けることもある。周方向に１個だけ設ける場合は、杭本体６の軸線Ｌ方向で見て、その側面部１３に千鳥配置で設けるのがよい。
【００６４】
(4) 又前記傾倒アンカー片１５は、前記実施例においては３段に設けているが、杭本体６の長さに応じて、例えば１〜５段の範囲で、必要とされる引き抜き抵抗力の大きさを考慮して所要に設定できる。図２０は、前記傾倒アンカー片１５を、杭本体６の下端側にのみ設けた場合を示すものであり、図１に示すと同様の構成で、該杭本体６の前記側面部１３の対向側の２箇所に該傾倒アンカー片１５，１５が設けられている。
【００６５】
(5) 前記傾倒アンカー片１５が前記杭本体６の回転に伴い土に切り入るのをより容易化するために、例えば図２１（Ａ）（Ｂ）に示し、又図２１（Ｃ）に示すように、該傾倒アンカー片１５の前記回転方向で見た先端縁部１７を鋭角の刃状部６３として構成するのがよい。
【００６６】
(6) 図２２（Ａ）（Ｂ）は、前記上下のストッパ部４３，４５が省略された杭１の一例を示すものである。この場合は、図２２（Ｃ）に示すように、前記杭本体６を地中に打ち込んだ状態で該杭本体６をその軸線Ｌ回りに回転させた時、該傾倒アンカー片１５が該杭本体６の回転方向と逆方向に最大角度、即ち９０度傾倒させ得る。
【００６７】
(7) 図２３（Ａ）（Ｂ）は、前記傾倒アンカー片１５の傾倒方向を一方向に限定した場合の一例を示すものであり、傾倒アンカー片１５が、Ｖ字状欠切部８３の中央薄肉部８５を介して前記張出部２５に連結されている。この場合は、該傾倒アンカー片１５の傾倒可能の方向を考慮して、地中に押し込んだ状態の杭本体６を回転させる。
この場合において、該傾倒アンカー片１５の傾倒角度を所要に設定する場合は、例えば図２３（Ｃ）に示すように、該傾倒アンカー片１５が傾倒する側においてのみ上下のストッパ部４３，４５を設ける。
【００６８】
(8) 前記傾倒アンカー片１５が、平面視で、時計回りＦ１及び反時計回りＦ２の双方に傾倒可能となされる場合も、或いは何れか一方向にのみ傾倒可能となされる場合、その傾倒角度は、例えば２０〜６０度の範囲で設定するのがよく、好ましくは、前記実施例で示したように３０度程度に設定するのがよい。
【００６９】
(9) 前記傾倒アンカー片１５は、前記したような板状を呈するものの他、棒状等を呈する如く構成されることもある。又、前記杭本体６の側面部１３で張り出す張出部２５は、前記した板状を呈するものには特定されない。
【００７０】
(10)前記傾倒アンカー片１５を前記杭本体６の側面部１３に、上下方向で複数段に設ける場合であっても、前記傾倒アンカー片１５の全長は略等しく設定されることがある。
【００７１】
(11)前記杭本体６は、所要の引き抜き抵抗力を発揮できる限り、丸軸状を呈するものには特定されない。
【００７２】
(12)本発明に係る杭本体６は金属製とされることもある。この場合、前記傾倒アンカー片１５は金属製や樹脂製等として構成できる。
【００７３】
(13)本発明に係る杭は、前記した防草シート等のシート状物を押える押え杭として用いられることの他、地面に敷設されるネットやマット等の被覆材を押える押え杭や、テント等の屋外に設置される屋外設置物を地面に固定する際等における杭として応用することもできる。更に、土木や建築の分野において、所要の引き抜き抵抗力を確保するための杭として応用することもできる。そして杭本体６の地中への押し込み方向は垂直方向に限られず、法面に対しての押し込み等、斜め方向もある。
【００７４】
(14)前記押え板３の上面側に、ドライバーの先端係合部と係合し得る係合凹部や係合突部を設けることによって、該ドライバーの回転操作によって前記杭本体６をその軸線Ｌ回りに回転させることもできる。
【００７５】
(15)前記杭本体６の長さは、杭１の使用目的に応じて、必要な引き抜き抵抗力を確保できるように所要に設定される。
【符号の説明】
【００７６】
１  杭
２  シート状物
３  押え板
５  下面
６  杭本体
７  突き刺し軸部
１０  円錐部
１２  摘み部
１３  側面部
１５  傾倒アンカー片
１６  下端部
１７  先端縁部
２５  張出部
２６  上端縁部
２７  外側の側縁部
３０  前面
３１  後面
３２  下端縁部
３５  薄肉屈曲部
３６  外側の側縁部
３７  内側の側縁部
４２  直線状部
４３  上のストッパ部
４５  下のストッパ部
４９  当接部
５９  スリット
【図１】
2015004190.tif 000003
【図２】
2015004190.tif 000004
【図３】
2015004190.tif 000005
【図４】
2015004190.tif 000006
【図５】
2015004190.tif 000007
【図６】
2015004190.tif 000008
【図７】
2015004190.tif 000009
【図８】
2015004190.tif 000010
【図９】
2015004190.tif 000011
【図１０】
2015004190.tif 000012
【図１１】
2015004190.tif 000013
【図１２】
2015004190.tif 000014
【図１３】
2015004190.tif 000015
【図１４】
2015004190.tif 000016
【図１５】
2015004190.tif 000017
【図１６】
2015004190.tif 000018
【図１７】
2015004190.tif 000019
【図１８】
2015004190.tif 000020
【図１９】
2015004190.tif 000021
【図２０】
2015004190.tif 000022
【図２１】
2015004190.tif 000023
【図２２】
2015004190.tif 000024
【図２３】
2015004190.tif 000025
【図２４】
2015004190.tif 000026
【図２５】
2015004190.tif 000027
【図２６】
2015004190.tif 000028